(57)【要約】      （修正有）【課題】大型構造物や内部からの溶接などスポット溶接が難しいといわれる部位まで溶接できる溶接機を提案する。【解決手段】下部に少なくとも一部の表面が導電性材料から成る板状電極１０を設ける一方、上部にこの板状電極１０上にのせた被溶接物Ｗをスポット溶接するために昇降する溶接ガン２０を設け、この板状電極１０の上に、被溶接物Ｗを保持しかつ板状電極から通電されて昇降する溶接ガン２０との間で被溶接物Ｗをはさみ加圧通電してスポット溶接する電極保持装置３０を配置する。【選択図】図１
2005238316.tif 000002
【特許請求の範囲】
【請求項１】
下部に少なくとも一部の表面が導電性材料から成る板状電極を設け、上部にこの板状電極上にのせた被溶接物をスポット溶接するために昇降する溶接ガンを設け、さらに、前記板状電極の上において被溶接物を保持しかつこの保持した被溶接物を前記溶接ガンとともに前記板状電極との間ではさんで加圧通電してスポット溶接する上部補助電極を具える電極保持装置を設けることを特徴とするスポット溶接機。
【請求項２】
下部に少なくとも一部の表面が導電性材料から成る板状電極を設け、上部にこの板状電極上にのせた被溶接物をスポット溶接するために昇降する溶接ガンを設け、さらに、前記板状電極の上において被溶接物を保持しかつこの保持した被溶接物を下降する前記溶接ガンとの間で被溶接物をはさんで加圧通電してスポット溶接する下部補助電極を具える電極保持装置を設けることを特徴とするスポット溶接機。
【請求項３】
前記上部補助電極および前記下部補助電極を導電性材料から構成することを特徴とする請求項１又は２記載のスポット溶接機。
【請求項４】
前記電極保持装置に、前記被溶接物を所定位置に保持する保持装置と前記板状電極上の被溶接物をはさんで加圧通電してスポット溶接する上部補助電極又は下部補助電極とを設け、この上部補助電極又は下部補助電極および前記保持装置を導電性ベ−ス板に取付けて一体化をはかることを特徴とする請求項１又は２記載のスポット溶接機。
【請求項５】
前記電極保持装置を導電性材料から構成することを特徴とする請求項１又は２記載のスポット溶接機。
【請求項６】
前記導電性材料を銅又はその合金材から構成することを特徴とする請求項１又は５記載のスポット溶接機。
【発明の詳細な説明】
【技術分野】
【０００１】
本発明はスポット溶接機にかかり、なかでも、少なくとも一部の表面が導電性材料から成る板状電極上で溶接すべき被溶接物を溶接ガン先端の溶接チップによって加圧通電してスポット溶接するスポット溶接機であって、一方の電極を板状電極として構成するのにもかかわらず、板状電極上におかれる被溶接物の形状や構造、とくに溶接すべき被溶接点の位置に左右されることなく安定して位置決めしてスポット溶接できるスポット溶接機に関するものである。
【背景技術】
【０００２】
スポット溶接は点溶接ともいわれ、重ね合わせられた２枚の金属板などの被溶接物を銅又は銅合金の棒状の電極の間ではさみ、強く加圧しながら、短時間に電流を流し、接触面に碁石状の跡、つまりナゲットをつけながら接合する抵抗溶接法である。（昭和４５年１月１５日発行、日刊工業新聞、金属材料辞典３５４頁参照）また、被溶接物間の通電によるジュ−ル熱によって接合する溶接法であるため、広く使用され、使用目的に応じて種々のスポット溶接機が提案され知られている。この中で定置型やポ−タブル型といわれるものが広く用いられている。
【０００３】
すなわち、定置型はスポット溶接機の中で最も普及し、スポット溶接機といえば通常定置型を指している。定置型は電極加圧部又は溶接ヘッドといわれる上部電極の溶接ガンやそれに対応する棒状の下部電極が固定され、これら電極の間に被溶接物をはさみ加圧通電してスポット溶接するものである。
【０００４】
一方、ポ−タブル型は、被溶接物を移動させることなく被溶接物をはさむ上下の電極を移動させてスポット溶接するものである。
【０００５】
また、ポ−タブル型としてはその変型としてバ−スポット溶接機が知られている。このバ−スポット溶接機は上部電極は棒状ポ−タブル電極やエスパンダガンとして構成し、これに対応する下部電極は板状のバックバ−電極として構成し、このバックバ−電極と棒状ポ−タブル電極の間に被溶接物をはさんで加圧通電してスポット溶接するものである。
【０００６】
このようなポ−タブル型は、バ−スポット溶接機を含めて、ポ−タブル（つまり可搬式）という名のとおり、上下の電極が移動するため、高い加圧力が付与できず、軽量、小型の被溶接物の溶接には適するが、高い加圧力を必要とする大きな構造物の溶接には適さない。このようなところから、大型のものや相当強固な構造物まで溶接できる定置型が最も普及している。
【０００７】
この点、つまり、定置型のように高い加圧力が付与できる一方、定置型と異なって被溶接物を移動させることなく溶接できる溶接機として、本発明者らは、先に、特願平５−１３９５４３号（特許第３４４５６３６号）明細書に示す構造のスポット溶接機を提案した。
【０００８】
このスポット溶接機は、上下から被溶接物をはさんで加圧通電してスポット溶接する上下一対の電極のうちで、上部の電極は先端に溶接チップを具える棒状の溶接ガンとして構成する一方、下部の電極は板状電極から構成する溶接機である。この溶接機は下部の電極として働く板状電極は銅板又はその合金板などの導電性材料から構成され、この板状電極のいずれのところも下部の電極として働かすことができる。また、上部の電極として働く溶接ガンは横向き姿勢や縦向き姿勢に保持でき、この溶接ガンは板状電極上で自由に移動できるように支持されている。このため、ポ−タブル型のものと相違して、下部の電極を成す板状電極は移動することなく強固かつ大型に構成でき、上部の電極として働く溶接ガンによって高い加圧力を加えることができる。また、上部電極として働く溶接ガンは平面方向に移動する支持機構を強固かつ大型に構成できるため、加圧機構のエアシリンダを一体に設けることができるため、板状電極上の被溶接物に高い加圧力が加えることができる。さらに、先にのべたとおり、板状電極のいずれのところも下部の電極として働かすことができるため、被溶接物を板状電極の上で置いたままで移動させることなく各溶接点を順次かつ連続的に溶接できる。
【０００９】
しかしながら、先に提案した溶接機は、上部電極として働く溶接ガン、詳しくは溶接チップが垂直に下降することによって板状電極上の被溶接物をはさみ加圧通電、スポット溶接されるため、どうしても溶接点の部位によっては溶接できないところが生じる。
【００１０】
すなわち、下降する溶接チップは下向き下降して溶接し溶接後上昇する構造となっている。このため、溶接チップの昇降通路は垂直又はそれに近い軌跡になる。このことは溶接チップが垂直な昇降軌跡が取れない部位に被溶接点がある被溶接物は溶接することができない。
【００１１】
例えば、箱や容器の被溶接物は内部に被溶接点があることが多い。略々平坦な被溶接物でも用途に応じては局部的に凹部や凸部があることもある。前者の被溶接物は溶接がシャ先端の溶接チップの構造を改善することによって溶接することもできるが、構造の改善によって溶接可能範囲を拡大することに限界がある。後者の被溶接物は局部的な凹凸部は下部電極として働く板状電極から浮き上り、その部分は板状電極に接触しないため、この部位の被溶接点に加圧力を加えられてはさむことができないため溶接できない。
【００１２】
また、下部電極として働く板状電極上におかれたままで被溶接物を溶接するために、この被溶接物に上部電極として働く溶接ガン、具体的には先端の溶接チップを押付けたときには、下向き加圧し押付けによって被溶接物や被溶接点がづれ、所定の被溶接点を溶接できないことが起こる。この点は板状電極に被溶接物の位置決め機構や保持機構を附設することも考えられるが、板状電極は全面にわたって下部の電極として働かせるものであるため、その一部に位置決め機構や保持機構を附設することは好ましくない。
【特許文献１】特願平５−１３９５４３号および特許第３４４５６３６号明細書
【発明の開示】
【発明が解決しようとする課題】
【００１３】
この発明は上記欠点の解決を目的とし、具体的には、下部電極として働く板状電極の上に被溶接物をのせて、この被溶接物を板状電極と上部電極として働く溶接チップとの間にはさみ加圧通電して溶接する溶接機において、垂直に昇降する溶接ガンにおける昇降に支障をきたす溶接点の多い構造の被溶接物も、支障なく溶接でき、さらに、溶接時に被溶接物を安定して保持位置決めできるスポット溶接機を提案する。
【課題を解決するための手段】
【００１４】
すなわち、本発明に係るスポット溶接機は、下部に少なくとも一部の表面が導電性材料から成る板状電極を設け、上部にこの板状電極上にのせた被溶接物をスポット溶接するために昇降する溶接ガンを設け、さらに、板状電極の上において被溶接物を保持しかつこの保持した被溶接物を溶接ガンとともに板状電極との間ではさんで加圧通電してスポット溶接する上部補助電極を具える電極保持装置を設ける。
【００１５】
また、この電極保持装置には、溶接ガンとともに上部の電極として働く上部補助電極の代りに、溶接ガンとの間で被溶接物をはさんで加圧通電してスポット溶接する下部補助電極を設ける。
【００１６】
この上部補助電極や、下部補助電極は導電性材料から構成する。
【００１７】
電極保持装置に、下部の電極として働く板状電極の表面に当接させるように導電性ベ−ス板を設け、この導電性ベ−ス板を介して被溶接物を所定位置に保持する保持装置と上部補助電極又は下部補助電極とを一体に設ける。
【００１８】
電極保持装置を導電性材料から構成する。
【００１９】
この導電性材料を銅又はその合金材から構成する。
【発明の効果】
【００２０】
下部の電極として働く板状電極はスペ−スが広く、補助電極が被溶接物の構造や形状に合わせた複雑な構造のもの、とくに、装置であっても板状電極には安定かつ確実にセットできる。このため、板状電極上でそのまま移動させずに大型の構造物の接合作業ができるほか、従来ア−ク溶接でしか溶接できないとされていた部位でも電極保持装置の上部や下部の補助電極の介在によりほとんどスポット溶接できる。
【００２１】
電極保持装置には上部の電極として働く上部補助電極が組み込まれ、それにより被溶接物の位置決めや案内などの治具としての機能をもたし、さらに、被溶接物も保持装置によって保持されているため、スポット溶接しにくいといわれている部位の溶接もできる。
【００２２】
また、電極保持装置は板状電極上にのせるのみでも十分にその目的が達成できるため、被溶接物が板状材のときには、板状電極を下部の電極として働かせて溶接できる。
【発明を実施するための最良の形態】
【００２３】
そこで、上記のところの手段たる構成ならびにその作用について図面に示すところを通じてさらに具体的に示すと、つぎのとおりである。
【００２４】
なお、図１は本発明の一つの実施例に係るスポット溶接機の概略を示す説明図である。
【００２５】
図２は図１に示すスポット溶接機における電極保持装置の一つの例の平面図である。
【００２６】
図３は図２に示す電極保持装置の一部の正面からみた説明図である。
【００２７】
図４は図２および図３に示す電極保持装置における上部補助電極の構造を示す説明図である。
【００２８】
まず、図１は本発明の一つの実施例に係るスポット溶接機の説明図であって、箱型や円筒型などの被溶接物Ｗ（図２および図３参照）をスポット溶接するのに好適なスポット溶接機である。この溶接機１００は図１において符号１００で示す。溶接機１００は下部の電極として働く板状電極１０と上部電極として働く溶接ガン２０とから成って、溶接すべきときは、被溶接物Ｗを下部の電極として働く板状電極１０上にのせ、板状電極１０上にのせたままで上部の電極として働く横向き姿勢の溶接ガン２０によって被溶接物Ｗを溶接する。
【００２９】
溶接ガン２０の先端には溶接チップ２１がシャンク２２を介して取付けられている。溶接ガン２０は回転軸２３により支持ポスト２４において横向き姿勢で回転自在に支持されている。したがって、横向き姿勢の溶接ガン２０はてこを成し、このてこ機構によって溶接チップ２１に加圧力が加えられる。なお、縦向き姿勢の溶接ガン２０は支持ポスト２４に支持され、下向きの加圧力が加えられる。
【００３０】
次に、支持ポスト２４は互いに旋回自在に連結された少なくとも２つの分割ア−ム２５によって支持され、各分割ア−ム２５の旋回によって支持ポスト２４が平面移動し、その支持ポストを介して溶接ガン２０が板状電極１０で自由に平面移動できるように構成されている。また、溶接ガン２０の下向きに下降させて加圧力は与えられ、この下向き下降はエア−シリンダ２６によって達成される。
【００３１】
次に、連結される分割ア−ム２５、２５は支柱６０によって支持され、この支柱６０によって板状電極１０は矢印方向に昇降自在に支持されている。この昇降機構はいずれにも構成できるが一例を挙げると、支柱６０の内部にボ−ルネジ機構を設け、このボ−ルネジ機構によって板状電極１０は昇降できるように構成される。
【００３２】
以上、図１、図２および図３に示した通り、上記構成のスポット溶接機は、例えば、上部の電極として働く溶接ガンは棒状であって、先端の溶接チップは上下に昇降自在に構成する。それに対応する下部の電極は少なくとも一部の表面、なかでも全表面が下部の電極として通電される板状電極として構成される。このように構成されるスポット溶接機は板状電極１０と溶接チップとの間ではさまれる部分のみが通電加熱されスポット溶接される。したがって、この構成のスポット溶接機１００は板状電極１０の上に被溶接物を載せると、いずれの被溶接点であっても、被溶接物を移動させることなく、上部の電極として働く溶接ガン２０との間で上下からはさむことができればスポット溶接できる。
【００３３】
しかし、このような構成のスポット溶接機１００では被溶接物の各部位が板状電極の表面に接触できる限り、有効な溶接機であるが、局部的に浮上っている部位や横向き姿勢の溶接ガンを例えばてこ方式で加圧するときに不都合な部位のように、溶接に不適当な部位があることもある。例えば、箱型の外匣の被溶接物の折返し部分に底板をつけるときは、この外匣を構成する側板により溶接ガンのてこ運動が制限され、スポット溶接できず、どうしてもア−ク溶接せざるを得ない。
【００３４】
このようなところから、本発明においては、図１、図２および図３に示すように、板状電極１０上に電極保持装置３０を設ける。この装置３０は板状電極１０の上において保持装置４０によって被溶接物Ｗを安定かつ確実に保持でき、しかも、図２および図３に示す上部補助電極５０が板状電極１０を介して通電されるように構成されているため、通常は板状電極１０上に電極保持装置３０を設けると、被溶接物Ｗのいかなる部位でも溶接できる。
【００３５】
すなわち、板状電極１０上に設けられる電極保持装置３０は、図２に示すように、４つの保持装置４０によって被溶接物Ｗはその周囲から板状電極上で保持された状態にあり、その内部に上部補助電極５０が設けられ、この補助電極５０が溶接ガン２０とともに上部の電極として働くよう構成されている。このため、溶接ガン２０を下降すると、補助電極５０と板状電極１０の間に被溶接物ははさまれてスポット溶接できる。
【００３６】
この電極保持装置３０は被溶接物を保持できかつ例えば溶接ガンと共働する補助電極を具えていればいずれにも構成でき、例えば、図１、図２および図３に示すとおり、溶接ガン２０と共働して上部電極として働く上部補助電極５０と被溶接物Ｗを所定位置に位置決め保持する保持装置４０とから構成するのが好ましい。
【００３７】
更にくわしく説明すると、図２、図３および図４に示す電極保持装置３０は補助電極が上部の電極の溶接ガン２０とともに上部の電極として働く例の一つを示し、この装置では上部電極として働く溶接ガン２０と結合して上部の電極として働く上部補助電極５０が設けられている。
【００３８】
この装置は、例えば、箱型の被溶接物Ｗにおいてその外匣Ｗ１の側縁を折り曲げて折曲げ部分Ｗ２の接合部に止め板Ｗ３によって固定するような場合に好適であり、このような外匣Ｗ１では横向き姿勢の溶接ガンはてこ機構により下向きに加圧できず溶接できないものである。この場合に、板状電極１０上に電極保持装置３０をセットし、この装置３０の上に被溶接物Ｗをおく。この被溶接物Ｗは方形の筒状であって、周囲から保持するために保持装置４０を接近させて保持する。更に詳しく説明すると、図２において、縦、横の方向に４つの保持装置４０が各保持装置４０は保持板４１と前進又は後退機構４２とから構成され、各保持板４１はそれぞれピストンシリンダ機構やねじ機構などの前進又は後退機構４２により前進または後退でき、電極保持装置３０上におかれた被溶接物Ｗの外匣にはその周囲から接近して保持することができる。
【００３９】
また、上部補助電極５０は、図２に示すとおり、４つの保持装置４０が被溶接物Ｗの中心から４隅に向って対角線状に設けられている。
【００４０】
したがって、溶接のときに被溶接物Ｗの外匣Ｗ１が周囲から４つの保持装置４０によっておさえられ位置決め保持されると、４つの上部補助電極５０は、図４に示すとおり、揺動（スイング）し、溶接ガン２０によって加圧されかつ通電される構造となっているため、折曲げ部分Ｗ２やその止め板Ｗ３の表面に当接し、折曲げ部分Ｗ２や止め板Ｗ３は確実に重ね合わされて上部補助電極５０と板状電極１０の間にはさまれて安定かつ確実に固定される。
【００４１】
すなわち、電極保持装置３０に設けられた上部補助電極５０は、図４に示すとおり、後に説明するとおり、導電性ベ−ス板５１、補助溶接チップ５２、チップ支持機構５３およびせん回軸５４とから成って、導電性ベ−ス板５１上には受け座５５が設けられている。このため、外匣Ｗ１の周囲が保持装置４０によって保持され、内部からは上部補助電極５０の補助溶接チップ５２により保持されるため、位置決めは安定かつ確実にでき、所望の溶接点のところを溶接できる。
【００４２】
すなわち、上部補助電極５０はせん回軸５４によって矢印方向にせん回できる構造になっており、チップ支持機構５３はばねを介して上下に伸縮できる構造になっている。このため、上部から下降する溶接ガン２０の先端の溶接チップ２１が補助溶接チップ５２の整合くぼみに整合すると、一体として加圧でき、通電される。被溶接物Ｗの外匣Ｗ１の折曲げ部分Ｗ２は導電性ベ−ス板５１や受け座５５との間ではさまれスポット溶接できる。
【００４３】
また、電極保持装置３０は、必ずしも、図２、図３および図４のとおり構成しなくとも、被溶接物の構造に合わせていずれにも構成できるが、上記のとおり、補助溶接チップ５２を揺動式に構成すると、被溶接物が箱型などでなくとも、例えば円筒状や容器状であっても、内部に必要な機材などを取付ける場合にも適用できる。
【００４４】
以上のとおり、電極保持装置３０には周囲に配置される保持装置４０と上部補助電極５０とが設けられるが、これらは、図２および図３に示すとおり、板状電極１０の上に配置される導電性ベ−ス板５１を介して一体に設けることができる。
【００４５】
すなわち、下部の電極として働く板状電極１０は全面又はほとんど大部分の表面が通電され文字通り全表面が電極チップでもある。一方、溶接時には溶接ガンにより加圧されたところのみが通電されるため、その部分の温度が上昇して溶融するが、発生した溶接熱は補助溶接チップ５２、溶接ガン２０、受け座５５および導電性ベ−ス板５１や補助電極５０全体を通って逃げ、溶融部分は凝固されて所謂ナゲットが形成されてスポット溶接される。しかし、この抵抗発熱と逃げとが適正にバランスされないと、適切にナゲットが形成できない。この点、導電性ベ−ス板５１を介在させると、受け座５５からの逃げが促進され、冷却も良好になって、碁石状のナゲットが形成できる。
【００４６】
また、下部の電極として働く板状電極の表面はきわめて広い。この上に、仮りに、補助電極としてせまいスペ−スのブロック、例えば受け座５５を設けると、この受け座５５のところで通電面積が絞られる。このことは、スポット溶接そのものが被溶接物の接触面のスペ−スが絞られ接触抵抗が高くなり、そこで発熱することを利用した接合法であるように、板状電極１０の表面が汚されて好ましくない。
【００４７】
この点について、図２、図３および図４に示す例のとおり、接触面積の大きい導電性ベ−ス板５１を介在させると、接合時に発生する熱は導電性ベ−ス板５１を経て板厚方向や板幅方向にも流れ、導電性ベ−ス板５１と板状電極１０との境界面で発熱することがない。
【００４８】
ほとんど界面間の抵抗がない条件のもとで円滑に通電できる。
【００４９】
以上のとおり、導電性ベ−ス板５１を介して電極保持装置３０を構成すると、溶接ガンとともに上部の電極として働く上部補助電極５０や保持装置４０を一体に設けて構成すると、必要なときに電極保持装置３０を使って溶接し、使用する必要のないときには簡単に除去でき、取扱いが簡便になる。
【００５０】
さらに、補助電極５０は導電性ベ−ス板５１上に設けると、図４に示すように揺動式など複雑な構造物としても構成できる。
【００５１】
すなわち、図４において符号Ｗ２は被溶接物Ｗの外匣Ｗ１の折曲げ部分を示し、この折曲げ部分Ｗ２に止め板Ｗ３をスポット溶接する場合が示されている。この場合には、導電性ベ−ス板５１の上に下部の電極として働く受け座５５のほかに被溶接物の外匣Ｗ１の内側で溶接する補助電極は補助溶接チップ５２が設けられ、この補助溶接チップ５２は溶接ガン２０とともに上部の電極として働くため、導電性ベ−ス板とは絶縁されて構成されている。このように構成すると、箱型の外匣Ｗ１の折曲げ部分Ｗ２と止め板Ｗ３とを重ね合わせて接合するときに、補助溶接チップ５２をせん回軸５４を中心として旋回させて補助溶接チップ５２をセットし、この状態で溶接ガン２０又はその先端の溶接チップ２１を下降させると、補助溶接チップに設けたくぼみ５６に整合し、溶接ガン２０とともに補助電極５０が上部の電極として働きスポット溶接が達成できる。
【００５２】
なお、溶接ガン２０とともに上部電極として働く補助溶接チップ５２や、板状電極１０の下部電極として機能を補助する受け座５５はいずれも上下の電極を成すものである。適正なナゲット形成の上からこれらの電極の温度はほとんど零度に近く維持されるのが好ましい。この点から、図示を省略するが、冷却水などにより冷却されているのが好ましい。
【産業上の利用可能性】
【００５３】
以上のとおりに本発明に係るスポット溶接機は板状電極で被溶接物を移動させずに上部から下降する溶接ガンを用いて溶接でき、この溶接で不都合のあるもののときでも、電極保持装置をセットしてその補助電極によって上部から下降する溶接ガンの機能を補うことができ、複雑かつ入り組んだ構造の被溶接物も溶接できる。
【００５４】
したがって、このスポット溶接機は従来例の定置型で溶接する分野のほか、大型構造物の溶接に用いることができる。
【図面の簡単な説明】
【００５５】
【図１】本発明の一つの実施例に係るスポット溶接機の概略を示す説明図である。
【図２】図１に示すスポット溶接機における電極保持装置の一つの例の平面図である。
【図３】図２に示す電極保持装置の一部の正面からみた説明図である。
【図４】図２および図３に示す電極保持装置における上部補助電極の構造を示す説明図である。
【符号の説明】
【００５６】
１０  板状電極
２０  溶接ガン
２４  支持ポスト
２６  エア−シリンダ
３０  電極保持装置
６０  支柱
１００  スポット溶接機
【図１】
2005238316.tif 000003
【図２】
2005238316.tif 000004
【図３】
2005238316.tif 000005
【図４】
2005238316.tif 000006